(57)【要約】【課題】地図画像を広域表示に切り替えて一瞥するような利用態様に、より好適なユーザインタフェイスを実現し得る表示処理装置を提供すること。【解決手段】地図座標と対応付けられた地図画像データに基づいて、感圧センサ３ｃとタッチセンサ３ｂを備える表示ユニット３に地図画像を表示させる表示処理装置１であって、前記表示ユニット３に対してなされたタッチ操作の位置及び押圧を含む入力情報を取得する入力情報取得部１ｂと、第１の地図画像を前記表示ユニット３に表示させているときに閾値以上の押圧のタッチ操作がなされた場合、当該タッチ操作がなされた位置に対応する地図座標を特定するとともに、当該地図座標を起点として、前記第１の地図画像を広域表示にした第２の地図画像に表示を切り替えさせ、当該タッチ操作が終了するに応じて、前記第２の地図画像から元の縮尺表示の第３の地図画像に表示を切り替えさせる表示制御部１ａと、を備える。【選択図】図７
2017182260.tif 000002
【特許請求の範囲】
【請求項１】
地図座標と対応付けられた地図画像データに基づいて、感圧センサとタッチセンサを備える表示ユニットに地図画像を表示させる表示処理装置であって、
前記表示ユニットに対してなされたタッチ操作の位置及び押圧を含む入力情報を取得する入力情報取得部と、
第１の地図画像を前記表示ユニットに表示させているときに閾値以上の押圧のタッチ操作がなされた場合、当該タッチ操作がなされた位置に対応する地図座標を特定するとともに、当該地図座標を起点として、前記第１の地図画像を広域表示にした第２の地図画像に表示を切り替えさせ、
当該タッチ操作が終了するに応じて、前記第２の地図画像から元の縮尺表示の第３の地図画像に表示を切り替えさせる表示制御部と、
を備える表示処理装置。
【請求項２】
前記表示制御部は、前記閾値以上の押圧のタッチ操作がなされた場合、
当該タッチ操作がなされた位置に対応する地図座標が、前記第１の地図画像と前記第２の地図画像とで前記表示ユニットの同じ位置に表示されるように、前記第１の地図画像から前記第２の地図画像に表示を切り替えさせる
ことを特徴とする請求項１に記載の表示処理装置。
【請求項３】
前記表示制御部は、前記閾値以上の押圧のタッチ操作がなされた場合、当該押圧に応じて広域表示の倍率を決定し、当該広域表示の倍率に応じた前記第２の地図画像に表示を切り替えさせる
ことを特徴とする請求項１に記載の表示処理装置。
【請求項４】
前記表示制御部は、前記第２の地図画像を表示しているときのスライド操作に応じて、縮尺を固定した状態で、表示される地図座標の範囲を移動させるように前記第２の地図画像を表示させ、
前記第２の地図画像から元の縮尺表示の前記第３の地図画像に表示を切り替えさせる際、当該スライド操作が終了したときの位置に基づいて、前記第２の地図画像の地図座標の範囲から前記第３の地図画像として表示させる領域を決定する
ことを特徴とする請求項１に記載の表示処理装置。
【請求項５】
前記表示制御部は、前記第２の地図画像を表示させる際、当該第２の地図画像に重畳させて、タッチ操作が終了したときに、前記第３の地図画像として表示させる領域を示す指標を表示させる
ことを特徴とする請求項４に記載の表示処理装置。
【請求項６】
前記表示制御部は、前記閾値以上の押圧のタッチ操作がなされた場合、当該タッチ操作がなされた位置に基づいて、当該タッチ操作がなされた位置の奥行方向に向かって押し込まれるように変形した前記第２の地図画像を表示させてから、変形のない前記第２の地図画像に表示を切り替えさせる
ことを特徴とする請求項１に記載の表示処理装置。
【請求項７】
コンピュータに、
地図座標と対応付けられた地図画像データに基づいて、感圧センサとタッチセンサを備える表示ユニットに地図画像を表示させる表示処理プログラムであって、
前記表示ユニットに対してなされたタッチ操作の位置及び押圧を含む入力情報を取得する処理と、
第１の地図画像を前記表示ユニットに表示させているときに閾値以上の押圧のタッチ操作がなされた場合、当該タッチ操作がなされた位置に対応する地図座標を特定するとともに、当該地図座標を起点として、前記第１の地図画像を広域表示にした第２の地図画像に表示を切り替えさせ、
当該タッチ操作が終了するに応じて、前記第２の地図画像から元の縮尺表示の第３の地図画像に表示を切り替えさせる処理と、を実行させる、
表示処理プログラム。
【発明の詳細な説明】
【技術分野】
【０００１】
本発明は、表示処理装置、及び表示処理プログラムに関する。
【背景技術】
【０００２】
地図の画像データ及び座標データを用いて、ユーザの操作等に応じた所望の位置の地図画像を表示するナビゲーション装置が知られている。ナビゲーション装置においては、一般に、目的地を登録したり、自分の位置を確認することを可能とするため、表示領域に表示する地図画像の縮尺を切り替える機能が備えられている。
【０００３】
ところで、かかる機能を実現するためのユーザインタフェイスは、一般に、ユーザが当該機能を利用する利用シーンを想定して決定される。
【０００４】
例えば、特許文献１には、地図画像の縮尺を切り替える際の操作として、タッチパネルにタッチした状態で一定時間保持することによって、地図画像の縮尺を切り替えるための操作用のアイコンを表示することが記載されている。
【先行技術文献】
【特許文献】
【０００５】
【特許文献１】特開平１０−１４１９７４号公報
【発明の概要】
【発明が解決しようとする課題】
【０００６】
この特許文献１の従来技術によれば、通常時には、タッチパネルの表示領域に、地図画像の縮尺を切り替えるための操作用のアイコンが表示されることがないため、地図画像を表示するための領域を広くすることができる。
【０００７】
しかしながら、特許文献１の従来技術では、ユーザが地図画像を縮尺変更する際に、毎回、タッチパネルにタッチした状態で一定時間保持する必要があり、加えて、縮尺変更した後に元の縮尺表示に戻すためには、再度、同じ操作を繰り返す必要がある。そのため、当該従来技術では、操作に時間がかかり、ユーザに煩わしさを感じさせるおそれもあった。
【０００８】
特に、ナビゲーション装置は、運転している際の信号待ちの短い時間に、地図画像を広域表示して一瞥するような用に供される場合もあり、上記特許文献１のようなユーザインタフェイスは、このような利用態様には不向きであった。
【０００９】
そこで、本発明は、地図画像を広域表示に切り替えて一瞥するような利用態様に、より好適なユーザインタフェイスを実現し得る表示処理装置、及び表示処理プログラムを提供することを目的とする。
【課題を解決するための手段】
【００１０】
前述した課題を解決する主たる本発明は、地図座標と対応付けられた地図画像データに基づいて、感圧センサとタッチセンサを備える表示ユニットに地図画像を表示させる表示処理装置であって、前記表示ユニットに対してなされたタッチ操作の位置及び押圧を含む入力情報を取得する入力情報取得部と、第１の地図画像を前記表示ユニットに表示させているときに閾値以上の押圧のタッチ操作がなされた場合、当該タッチ操作がなされた位置に対応する地図座標を特定するとともに、当該地図座標を起点として、前記第１の地図画像を広域表示にした第２の地図画像に表示を切り替えさせ、当該タッチ操作が終了するに応じて、前記第２の地図画像から元の縮尺表示の第３の地図画像に表示を切り替えさせる表示制御部と、を備える表示処理装置である。
【発明の効果】
【００１１】
本発明に係る表示処理装置によれば、地図画像を広域表示に切り替えて一瞥するような利用態様に、より好適なユーザインタフェイスを実現することができる。
【図面の簡単な説明】
【００１２】
【図１】第１の実施形態に係るナビゲーション装置の外観の一例を示す図
【図２】第１の実施形態に係るナビゲーション装置のハードウェア構成の一例を示す図
【図３】第１の実施形態に係る制御装置の機能ブロックの一例を示す図
【図４】第１の実施形態に係る表示ユニットの部品構成を示す展開図
【図５】第１の実施形態に係る表示ユニットの部品構成を示す断面図
【図６】第１の実施形態に係るナビゲーション装置の動作フローの一例を示す図
【図７】第１の実施形態に係るナビゲーション装置の画面遷移の一例を示す図
【図８】第２の実施形態に係る押圧に応じた地図画像の縮尺変更の度合いのデータの一例を示す図
【図９】第３の実施形態に係るナビゲーション装置の画面遷移の一例を示す図
【発明を実施するための形態】
【００１３】
（第１の実施形態）
以下、図１〜図５を参照して、本実施形態に係る表示処理装置の構成の一例について説明する。本実施形態に係る表示処理装置は、地図のナビゲーション画面等を表示する車載ナビゲーション装置に用いられる。
【００１４】
図１は、本実施形態に係るナビゲーション装置Ａの外観の一例を示す図である。図２は、本実施形態に係るナビゲーション装置Ａのハードウェア構成の一例を示す図である。図３は、本実施形態に係る制御装置１の機能ブロックの一例を示す図である。図４は、本実施形態に係る表示ユニット３の部品構成を示す展開図である。図５は、本実施形態に係る表示ユニット３の部品構成を示す断面図である。
【００１５】
ナビゲーション装置Ａは、制御装置１、記憶装置２、表示ユニット３を備え、主に、これらの装置によって、表示する地図画像データが生成されたり、当該地図画像が表示出力されたりする。
【００１６】
制御装置１（表示処理装置）は、例えば、ＣＰＵ（Central Processing Unit）を含んで構成される。そして、制御装置１は、ＣＰＵがコンピュータプログラムを実行することによって、ナビゲーション装置Ａの各部とデータ通信して、これらの動作を統括制御する。
【００１７】
制御装置１は、表示制御部１ａ、入力情報取得部１ｂの機能を有する。表示制御部１ａ、入力情報取得部１ｂは、例えば、ＣＰＵがアプリケーションプログラムを実行することで実現される（図３を参照。これらの機能を用いた動作の詳細は、図６を参照して後述）。
【００１８】
表示制御部１ａは、記憶装置２に格納された地図座標と対応づけられた地図画像データを用いて、表示ユニット３（表示装置３ａ）に表示させる地図画像を生成し、ユーザのタッチ操作等に応じて、表示させる地図画像を制御する。尚、表示制御部１ａは、入力情報取得部１ｂが取得したタッチ操作の位置及び押圧を含む入力情報に基づいて、かかる制御を行う。
【００１９】
入力情報取得部１ｂは、表示ユニット３に対してなされたタッチ操作の位置及び押圧を含む入力情報を取得する。タッチ操作されたときの位置を示す信号は、例えば、表示ユニット３（タッチセンサ３ｂ）から制御装置１が有するレジスタに出力される。そして、入力情報取得部１ｂは、当該レジスタに格納された信号に基づいて、タッチ操作された位置に係る入力情報を取得する。又、タッチ操作されたときの押圧を示す信号は、例えば、表示ユニット３（感圧センサ３ｃ）からの電圧値として出力される。入力情報取得部１ｂは、当該電圧値に基づいて、タッチ操作における押圧に係る入力情報を取得する。
【００２０】
尚、アプリケーションプログラムが、システムプログラム上で動作する場合、入力情報取得部１ｂは、タッチ操作の位置や押圧に係る入力情報をシステムプログラムから取得する構成としてもよい。例えば、入力情報取得部１ｂは、システムプログラムがタッチセンサ３ｂや感圧センサ３ｃからタッチ操作の位置や押圧を示す信号を取得するに応じて、イベントドリブン方式で、当該システムプログラムから当該データを取得する構成としてもよい。
【００２１】
ここでは、タッチ操作の位置及び押圧に係る入力情報は、それぞれ後述するタッチセンサ３ｂと感圧センサ３ｃとから出力される信号に基づいて特定される。しかし、タッチ操作の位置及び押圧を特定できれば、他の方法を用いてもよいは勿論である。入力情報取得部１ｂは、例えば、後述する複数の感圧センサ３ｃ（図４）から取得した押圧のバランス等に基づいて、タッチ操作の位置を特定してもよい。
【００２２】
又、表示制御部１ａ及び入力情報取得部１ｂの機能は、ＡＰＩ(Application Programming Interface)等を用いて、複数のコンピュータプログラムが協働する構成としてもよい。又、表示制御部１ａは、ＧＰＵ（Graphics Processing Unit）等を用いて、画像データに対する処理の一部又は全部を当該ＧＰＵに実行させる構成であってもよい。
【００２３】
記憶装置２は、例えば、ＲＯＭ、ＲＡＭ、ＨＤＤ等を含んで構成され、システムプログラム、当該システムプログラム上で実行可能なアプリケーションプログラム等の各種処理プログラムや、各種データを記憶し、又、演算処理において一時的に記憶するためのワークエリアを形成する。尚、記憶装置２は、ＨＤＤの他、例えば、フラッシュメモリーなどを用いた補助記憶装置に読み書き更新可能に記憶させることとしてもよい。又、これらのデータは、車輌の位置やタッチ操作による要求に応じて、逐次、インターネット回線を通じてダウンロードされ、記憶装置２に格納されるものとしてもよい。
【００２４】
記憶装置２は、地図座標と対応づけられた地図画像データを有する。地図画像データは、地図座標に応じた道路や地形の画像を生成する画像データである。又、地図画像データには、複数の縮尺レベルの地図画像データが含まれており、例えば、表示ユニット３の表示領域に表示したときに２０万分の１の地勢図に相当する地図画像、表示ユニット３の表示領域に表示したときに２．５万分の１の地勢図に相当する地図画像等が含まれている。
【００２５】
地図座標は、例えば、緯度経度の情報であり、地図画像データの複数の地点について対応づけて記憶されている。又、地図座標は、地図画像データのうち所定の地点についての緯度経度の情報と、他の地点については当該地点を基準として演算処理により求められる構成であってもよい。
【００２６】
つまり、地図画像データは、ユーザが、表示ユニット３の表示領域に対してタッチ操作を行った場合、当該タッチ操作の位置及び現在表示する地図画像の地図座標に基づいて、当該タッチ操作の位置に対応する地図座標が特定可能となっている。
【００２７】
表示ユニット３は、表示装置３ａ、タッチセンサ３ｂ、感圧センサ３ｃを含んで構成される（図４、図５を参照）。
【００２８】
表示装置３ａは、例えば、液晶ディスプレイによって構成され、当該液晶ディスプレイの表示領域に地図画像等を表示する。表示装置３ａには、制御装置１から画像データが入力されており、当該画像データに基づいて、地図画像等を表示する。
【００２９】
タッチセンサ３ｂは、ナビゲーション装置Ａに対するユーザの入力装置であって、表示装置３ａの表示領域上でタッチ操作された位置を検出する。タッチセンサ３ｂは、例えば、投影型静電容量方式のタッチセンサが用いられ、マトリクス状に配設されたＸ電極とＹ電極によって、表示装置３ａの表示領域上にマトリクス状に複数の静電容量センサが構成される。そして、タッチセンサ３ｂは、当該静電容量センサによって、指が近づいたときに、これらの電極と指との間で発生する容量結合による静電容量の変化を検出し、これに基づいて、タッチ操作がなされた位置を検出する。そして、当該検出信号は、タッチ操作がなされた位置を示す信号として、制御装置１に出力される。
【００３０】
感圧センサ３ｃは、ナビゲーション装置Ａに対するユーザの入力装置であって、表示装置３ａの表示領域上でのタッチ操作における押圧を検出する。感圧センサ３ｃは、例えば、接触の圧力によって抵抗値が変わるセンサが用いられ、当該抵抗値の変化を電圧値に変換してタッチ操作における押圧を検出する。感圧センサ３ｃは、表示装置３ａの表示領域の外周の四辺に対応する位置に、四カ所に配設されている。感圧センサ３ｃが検出したタッチ操作における押圧を示す信号は、制御装置１に出力される。
【００３１】
尚、表示ユニット３は、上記した表示装置３ａ、タッチセンサ３ｂ、感圧センサ３ｃに加えて、筐体３ｄ、カバーレンズ３ｅ、両面テープ３ｆを備えている。
【００３２】
具体的には、表示ユニット３は、表示領域が露出するように表示装置３ａが筐体３ｄの中に収納され、当該表示装置３ａの表示領域を覆うように、板状のタッチセンサ３ｂ及びカバーレンズ３ｅがこの順で配設されて構成される。そして、板状のタッチセンサ３ｂは、当該表示装置３ａの表示領域の外縁部の外側において、両面テープ３ｆを用いて筐体３ｄに対して固定されている。又、感圧センサ３ｃは、当該表示装置３ａの表示領域の外周において、当該板状のタッチセンサ３ｂと筐体３ｄの間に設置されている。尚、ユーザが表示ユニット３に対してタッチ操作する際には、カバーレンズ３ｅの表面に対してタッチ操作を行うことになる。
【００３３】
ナビゲーション装置Ａは、その他、ＧＰＳ４、ジャイロセンサ５、車速センサ６、ＴＶ受信機７、ラジオ受信機８、ＣＤ／ＤＶＤ再生装置９、デジタルオーディオプレイヤーを接続する接続ポート１０等を備え、制御装置１は、これらの装置ともデータ通信可能な構成となっている。尚、これらの装置は、いずれも公知なものであるから、ここでの詳細な説明は省略する。
【００３４】
＜ナビゲーション装置の動作＞
次に、図６〜図７を参照して、本実施形態に係るナビゲーション装置Ａの動作の一例を説明する。
【００３５】
図６は、本実施形態に係るナビゲーション装置Ａの動作フローの一例を示す図である。この動作フローは、制御装置１が行う動作であって、例えば、制御装置１がアプリケーションプログラムに従って処理を実行することで実現される。以下では、特に、表示制御部１ａが行う広域表示に係る表示制御について説明する。尚、「広域表示」とは、現在表示ユニット３に表示されている地図画像に係る地勢上の領域の縮尺を変更して、当該領域を含む広域な地図画像を表示することを意味する。
【００３６】
図７は、本実施形態に係るナビゲーション装置Ａの画面遷移の一例を示す図である。図７Ａ〜図７Ｆは、表示制御部１ａが、地図画像の画像データに基づいて生成し、タッチ操作に応じて順次画像を更新する様子を表している。尚、図７Ａ〜図７Ｆに示す画像の外枠は、それぞれ表示ユニット３の表示領域の外枠を表す。又、Ｔ１は表示領域におけるタッチ位置、Ｔ２は広域表示に係る操作を終了した時に表示される地図画像の領域を表す。
【００３７】
アプリケーションプログラムを実行した際、表示制御部１ａは、まず、ＧＰＳによって取得された車輌の位置データの読み出しを行い、当該車輌の位置データに対応する地図座標から、当該車輌の位置（図中では、三角印で表す）が表示領域の中心付近に位置するように、地図画像を生成する。尚、ここでは、図７Ａに示す地図画像（第１の地図画像）が表示されているものとする。
【００３８】
表示制御部１ａは、この状態で、ユーザが表示ユニット３に対してタッチ操作を行うことを待ち受ける（ステップＳ１：ＮＯ）。尚、ユーザのタッチ操作は、例えば、入力情報取得部１ｂが制御装置１に入力されるタッチセンサ３ｂからの信号を監視することによって判定される。
【００３９】
表示ユニット３に対してタッチ操作がなされた場合（ステップＳ１：ＹＥＳ）、まず、入力情報取得部１ｂが、タッチセンサ３ｂからの信号に基づいて、表示ユニット３の表示領域における当該タッチ操作のタッチ位置Ｔ１を特定する（ステップＳ２）。次に、入力情報取得部１ｂは、感圧センサ３ｃからの信号を取得して、当該タッチ操作の押圧を特定する（ステップＳ３）。
【００４０】
表示制御部１ａは、入力情報取得部１ｂが取得した押圧が閾値以上かを判定する（ステップＳ４）。そして、表示制御部１ａは、押圧が閾値以上と判定した場合（ステップＳ４：ＹＥＳ）、現在の地図画像を広域表示にした地図画像を生成する（ステップＳ５）。一方、表示制御部１ａは、押圧が閾値未満と判定した場合（ステップＳ４：ＮＯ）、通常のタッチ操作として、続くステップＳ１０、Ｓ１１を実行する。尚、表示制御部１ａは、通常のタッチ操作の処理を実行するため、タッチ操作のタッチ位置Ｔ１に対応する処理が存在するかを判定する（ステップＳ１０）。そして、表示制御部１ａは、タッチ操作のタッチ位置Ｔ１に対応する処理が存在する場合（ステップＳ１０：ＹＥＳ）、当該処理（例えば、地図画像を移動させる処理）を実行し（ステップＳ１１）、再度、ステップＳ１の待ち受け状態に戻る。又、表示制御部１ａは、タッチ操作のタッチ位置Ｔ１に対応する処理が存在しない場合（ステップＳ１０：ＮＯ）、再度、ステップＳ１の待ち受け状態に戻る。
【００４１】
ステップＳ５の処理では、表示制御部１ａは、タッチ位置Ｔ１に対応する地図座標を起点として、現在の地図画像を広域表示にした地図画像を生成して、表示ユニット３に表示させる（図７Ｂを参照）。表示制御部１ａは、まず、タッチ位置Ｔ１と、現在表示している地図画像のデータとに基づいて、タッチ位置Ｔ１に対応する地図座標（例えば、緯度経度）を特定する。そして、表示制御部１ａは、当該地図座標が、表示ユニット３の表示領域内で固定された状態となるように、現在の地図画像を広域表示にした地図画像（第２の地図画像）を生成する。このとき、広域表示にする縮尺は、例えば、現在、地図画像の地勢上の実距離と表示ユニット３の表示領域上の距離の比（以下、実距離／表示上の距離と言う）が１００ｍ／ｃｍの地図画像を表示している場合、広域表示の地図画像として実距離／表示上の距離が４００ｍ／ｃｍの地図画像を選択する。表示制御部１ａは、このようにして特定された地図座標及び縮尺の地図画像データを記憶装置２から取得して、図７Ｂに示すような広域表示の地図画像を生成する。
【００４２】
尚、図７Ｂは、表示ユニット３には、タッチ位置Ｔ１の「学校」（文マーク）の位置が、表示ユニット３の表示領域内で固定された状態で、図７Ａの地図画像を広域表示にした地図画像が表示された状態を表している。タッチ位置Ｔ１に対応する地図座標を起点にして地図画像を表示させる態様としては、タッチ位置Ｔ１に対応する地図座標が表示ユニット３の表示領域内で固定された状態となるように地図画像を生成する態様以外にも、タッチ位置Ｔ１に対応する地図座標が表示ユニット３の表示領域の中心に位置するように地図画像を生成する態様等であってもよい。
【００４３】
表示制御部１ａは、この広域表示の状態を、タッチ操作が終了するまで継続する。ここでは、タッチ操作の終了は、入力情報取得部１ｂが制御装置１に入力されるタッチセンサ３ｂからの信号を監視することによって判定される。具体的には、入力情報取得部１ｂは、制御装置１に入力されたタッチセンサ３ｂからの信号に基づいて、スクロール操作がなされず（ステップＳ６：ＮＯ）、加えて、タッチ操作が検出されない状態の場合（ステップＳ８：ＹＥＳ）、タッチ操作が終了したと判定する。表示制御部１ａは、タッチ操作が終了した場合、広域表示する前の、元の縮尺表示の地図画像を生成する（ステップＳ９）（図７Ｃを参照）。尚、図７Ｂ中の点線で囲んだ矩形領域Ｔ２が、元の縮尺表示の地図画像の領域に相当する。
【００４４】
一方、表示制御部１ａは、この広域表示の状態で、スクロール操作がなされた場合（ステップＳ６：ＹＥＳ）（図７Ｄを参照）、広域表示の状態で移動させるように地図画像を生成する（ステップＳ７）（図７Ｅを参照）。より具体的には、スクロール操作は、入力情報取得部１ｂが取得するタッチ操作におけるタッチ位置Ｔ１の時間的変化に基づいて検出される。そして、表示制御部１ａは、スクロール操作が、スクロール操作前のタッチ位置Ｔ１に対応する地図座標を保持して移動させるように地図画像を表示させる。換言すると、表示制御部１ａは、スクロール操作後の表示ユニット３の表示領域におけるタッチ位置Ｔ１ａに、スクロール操作前のタッチ位置Ｔ１に対応する地図座標を移動させる。
【００４５】
図７Ｄは、スクロール操作によって、タッチ位置が「学校」（文マーク）の位置Ｔ１から、「郵便局」（〒マーク）の位置Ｔ１ａに変化したときの、画像を変化させる前の状態を表している。又、図７Ｅは、「学校」（文マーク）が、スクロール操作後のタッチ位置Ｔ１ａの位置付近に移動した様子を表している。このようにすることで、ユーザには、スクロール操作によって、当該スクロール操作に対応する距離及び方向に、地図を移動させたように視認させることができる。
【００４６】
又、図７Ｄ、図７Ｅ中で、矩形領域Ｔ２は、上記図７Ｂで説明したように、広域表示を元の縮尺表示に変更したときに表示される地図画像の領域を表す。ここでは、矩形領域Ｔ２は、表示ユニット３の表示領域上においては、常に固定した位置に表示されるように地図画像に重畳して表示される。従って、広域表示の状態において、ユーザが、上記のようにステップＳ７で、スクロール操作をした場合、表示制御部１ａは、矩形領域Ｔ２の位置を固定した状態で、地図画像を移動させるように表示制御する。
【００４７】
そして、スクロール操作が終わって、タッチ操作を検出しない状態となった場合（ステップＳ８：ＹＥＳ）、表示制御部１ａは、上記したとおり、元の縮尺表示の地図画像に戻す（ステップＳ９）（図７Ｆを参照）。このとき、表示制御部１ａは、図７Ｅの点線で囲んだ矩形領域Ｔ２の地図画像を表示する。換言すると、表示制御部１ａは、タッチ操作が終了したときのタッチ位置に基づいて、表示対象の地図座標を特定して、元の縮尺表示にした地図画像を生成する。そして、矩形領域Ｔ２は、広域表示を元の縮尺表示に変更したときに表示される地図画像の領域を示す指標となっている。
【００４８】
以上のような動作を行って、表示制御部１ａは、地図画像の画像データを順次更新し、地図画像を表示制御する。尚、上記では説明を省略したが、表示制御部１ａは、ＧＰＳから車輌の位置データを逐次取得して、当該位置データに基づいて、図７Ａ等の地図画像を移動させてもよいのは勿論である。
【００４９】
以上、本実施形態に係るナビゲーション装置Ａによれば、タッチ操作の押圧に基づいて通常のタッチ操作（例えば、地図画像の移動）か、広域表示のためのタッチ操作かを判定しているため、ユーザは、１回のタッチ操作だけで、操作時間を要することなく、地図画像を広域表示に切り替えることができる。そして、ユーザは、当該タッチ操作を終了するに応じて、広域表示にした地図画像を、自動的に元の縮尺表示の地図画像に戻すことができる。従って、本実施形態に係るナビゲーション装置Ａは、地図画像を広域表示に切り替えて一瞥するような利用態様に好適なユーザインタフェイスを実現することができる。
【００５０】
特に、表示制御部１ａは、広域表示の地図画像に表示を切り替えた際、当該広域表示の地図画像を、ユーザがタッチ操作をした位置の地図座標が表示ユニット３の表示領域上で固定するように表示する。そのため、ユーザは、より早期に、当該広域表示の地図画像の全体の位置関係を把握することが可能となる。
【００５１】
加えて、ユーザは、広域表示にした際には、当該タッチ操作を継続した状態で、広域表示の地図画像を移動させるとともに、元の縮尺表示に戻したときに表示する地図画像の領域を変更することができる。従って、本実施形態に係るナビゲーション装置Ａは、所望の領域の地図画像に移動するような利用態様に好適なユーザインタフェイスを実現することができる。
【００５２】
（第２の実施形態）
次に、図６、図８を参照して、第２の実施形態に係るナビゲーション装置Ａについて説明する。
【００５３】
本実施形態に係るナビゲーション装置Ａは、タッチ操作の際の押圧に応じて広域表示の縮尺を変更可能とする点で、第１の実施形態と相違する。尚、第１の実施形態と共通する構成については、説明を省略する（以下、他の実施形態についても同様）。
【００５４】
図８は、押圧に応じた地図画像の縮尺変更の度合いのデータの一例を示す図である。尚、図８では、押圧の閾値をａ、２ａ、３ａの三段階設け（ａは、所定の定数）、それぞれの範囲に対応させて、現在の表示領域の２倍の領域（例えば、実距離／表示上の距離が１００ｍ／ｃｍの地図画像であれば、実距離／表示上の距離が２００ｍ／ｃｍの地図画像）、現在の表示領域の３倍の表示領域、現在の表示領域の４倍の表示領域を表示するように設定されている。
【００５５】
図６に示した動作フローに従って説明すると、ステップＳ４において、表示制御部１ａは、タッチ操作の押圧を判定する際、閾値を複数設け、対応する押圧のレベルを識別する。具体的には、表示制御部１ａは、ステップＳ３において入力情報取得部１ｂが特定した押圧が、図８のいずれのレベルに相当するかを識別する。これによって、表示制御部１ａは、押圧に応じた地図画像の縮尺を選択することができる。
【００５６】
続いて、ステップＳ５において、表示制御部１ａは、タッチ位置に対応する地図座標を特定し、当該地図座標と上記で選択された地図画像の縮尺に基づいて、広域表示の地図画像を生成して、表示ユニット３に表示させる。
【００５７】
表示制御部１ａは、その後、第１の実施形態で説明したものと同様にして、ステップＳ６〜Ｓ９等の処理を行う。
【００５８】
以上、本実施形態に係るナビゲーション装置Ａによれば、ユーザは、簡易な操作で、地図画像を所望の縮尺レベルの広域表示に切り替えることができる。従って、本実施形態に係るナビゲーション装置Ａは、地図画像を広域表示に切り替えて一瞥するような利用態様により好適なユーザインタフェイスを実現することができる。
【００５９】
（第３の実施形態）
次に、図９を参照して、第３の実施形態に係るナビゲーション装置Ａについて説明する。
【００６０】
本実施形態に係るナビゲーション装置Ａは、広域表示の地図画像に表示を切り替える際の画面遷移の点で、第１の実施形態と相違する。
【００６１】
図９は、本実施形態に係るナビゲーション装置Ａの画面遷移の一例を示す図である。ここで、図９Ａ、図９Ｃは、それぞれ、図７Ａ、図７Ｂと同一の画像であり、広域表示にする前の地図画像と、広域表示に切り替えた後の地図画像を表す。
【００６２】
図９Ｂは、当該広域表示にする前の地図画像から、広域表示にした地図画像に変更する際の、画面遷移している途中の画像を表す。図９Ｂでは、広域表示にした地図画像（図９Ｃ）が、表示ユニット３の表示領域の右側の奥行方向に向かって押し込まれるように三次元的に変形した状態を表している。つまり、図９Ｂの画面遷移によって、タッチ操作によって広域表示に切り替わることをユーザが直感的に把握できるようにしている。
【００６３】
そして、表示制御部１ａは、広域表示の地図画像が当該表示ユニット３の表示領域の右側の奥行方向に向かって押し込まれるように、広域表示の地図画像を変形してから、変形のない広域表示の地図画像に戻していくように表示制御する。
【００６４】
タッチ操作によって押し込んだような表示制御は、広域表示の地図画像を経時的に変形させることによって行うことができる。尚、画像が押し込まれたような立体感は、例えば、アフィン変換を用いて、奥行方向にある領域ほど画像密度を高めることによって表現することができる。
【００６５】
例えば、表示制御部１ａは、まず、上記図６のステップＳ５で説明したのと同様の処理によって、図９Ｃに示す広域表示の地図画像の画像データを生成する。具体的には、表示制御部１ａは、タッチ操作がされた位置に対応する地図座標及び縮尺の地図画像データを記憶装置２から取得して、図９Ｃに示すような広域表示の地図画像データを生成する。
【００６６】
次に、表示制御部１ａは、タッチ操作の位置が、表示ユニット３の表示領域の中心から上下左右のいずれの方向に偏っているかを判定する。尚、表示制御部１ａは、入力情報取得部１ｂが取得したタッチ操作の位置によって、又、入力情報取得部１ｂが取得した四つの感圧センサ３ｃの押圧のバランスによって、当該偏りを識別することができる。
【００６７】
そして、表示制御部１ａは、広域表示の地図画像を、例えば、右方向に向かうにつれて、上下方向及び左右方向の圧縮度を大きくにように変形することによって、広域表示の地図画像が表示ユニット３の表示領域の右側の奥行方向に傾いたような三次元的な表示を行うことができる。そして、表示制御部１ａは、経時的に、当該広域表示の地図画像の上下方向及び左右方向の圧縮度を大きくした後に、再度、経時的に、圧縮度を小さくして、元の広域表示の地図画像に戻していく。
【００６８】
このようにすることで、押圧が閾値を超えるタッチ操作によって地図画像が押し込まれて広域表示に変化する様子を表現することができる。尚、ユーザが表示領域の左隅をタッチ操作した場合には、表示制御部１ａは、上記とは反対に、広域表示する地図画像を左側の奥行方向に向かって押し込まれるように変形した画像を生成して、表示ユニット３に表示させることになる。
【００６９】
以上、本実施形態に係るナビゲーション装置Ａによれば、ユーザが行った広域表示への切り替え操作を直感的に把握しやすくし、ユーザにとっての趣向性を向上させることができる。
【００７０】
以上、本発明の具体例を詳細に説明したが、これらは例示にすぎず、請求の範囲を限定するものではない。請求の範囲に記載の技術には、以上に例示した具体例を様々に変形、変更したものが含まれる。
【００７１】
本明細書および添付図面の記載により、少なくとも以下の事項が明らかとなる。
【００７２】
本開示に係る表示処理装置１は、地図座標と対応付けられた地図画像データに基づいて、感圧センサ３ｃとタッチセンサ３ｂを備える表示ユニット３に地図画像を表示させる表示処理装置１であって、前記表示ユニット３に対してなされたタッチ操作の位置及び押圧を含む入力情報を取得する入力情報取得部１ｂと、第１の地図画像を前記表示ユニット３に表示させているときに閾値以上の押圧のタッチ操作がなされた場合、当該タッチ操作がなされた位置に対応する地図座標を特定するとともに、当該地図座標を起点として、前記第１の地図画像を広域表示にした第２の地図画像に表示を切り替えさせ、当該タッチ操作が終了するに応じて、前記第２の地図画像から元の縮尺表示の第３の地図画像に表示を切り替えさせる表示制御部１ａと、を備える。この表示処理装置１によれば、地図画像を広域表示に切り替えて一瞥するような利用態様に好適なユーザインタフェイスを提供することができる。
【００７３】
ここで、前記表示制御部１ａは、前記閾値以上の押圧のタッチ操作がなされた場合、当該タッチ操作がなされた位置に対応する地図座標が、前記第１の地図画像と前記第２の地図画像とで前記表示ユニットの同じ位置に表示されるように、前記第１の地図画像から前記第２の地図画像に表示を切り替えさせるものであってもよい。この表示処理装置１によれば、ユーザは、より早期に、広域表示にした地図画像の全体の位置関係を把握することが可能となる。
【００７４】
又、ここで、前記表示制御部１ａは、前記閾値以上の押圧のタッチ操作がなされた場合、当該押圧に応じて広域表示の倍率を決定し、当該広域表示の倍率に応じた前記第２の地図画像に表示を切り替えさせるものであってもよい。この表示処理装置１によれば、ユーザは、簡易な操作で、地図画像を所望の縮尺レベルの広域表示にして一瞥することが可能となる。  
【００７５】
又、ここで、前記表示制御部１ａは、前記第２の地図画像から元の縮尺表示の前記第３の地図画像に表示を切り替えさせる際、タッチ操作が終了したときのタッチ位置に基づいて、前記第２の地図画像の地図座標の範囲から前記第３の地図画像として表示させる領域を決定するものであってもよい。この表示処理装置によれば、ユーザは、簡易な操作で、所望の領域の地図画像に移動することが可能となる。
【００７６】
又、ここで、前記表示制御部１ａは、前記第２の地図画像を表示させる際、当該第２の地図画像に重畳させて、タッチ操作が終了したときに、前記第３の地図画像として表示させる領域を示す指標を表示させるものであってもよい。
【００７７】
又、ここで、前記表示制御部１ａは、前記閾値以上の押圧のタッチ操作がなされた場合、当該タッチ操作がなされた位置に基づいて、当該タッチ操作がなされた位置の奥行方向に向かって押し込まれるように変形した前記第２の地図画像を表示させてから、変形のない前記第２の地図画像に表示を切り替えさせるものであってもよい。この表示処理装置１によれば、ユーザは、広域表示への切り替え操作を直感的に行うことが可能となる。
【００７８】
本開示に係るプログラムは、地図座標と対応付けられた地図画像データに基づいて、感圧センサ３ｃとタッチセンサ３ｂを備える表示ユニット３に地図画像を表示させるプログラムであって、前記表示ユニット３に対してなされたタッチ操作の位置及び押圧を含む入力情報を取得する処理と、第１の地図画像を前記表示ユニット３に表示させているときに閾値以上の押圧のタッチ操作がなされた場合、当該タッチ操作がなされた位置に対応する地図座標を特定するとともに、当該地図座標を起点として、前記第１の地図画像を広域表示にした第２の地図画像に表示を切り替えさせ、  当該タッチ操作が終了するに応じて、前記第２の地図画像から元の縮尺表示の第３の地図画像に表示を切り替えさせる処理と、を備える。
【産業上の利用可能性】
【００７９】
本開示に係る表示処理装置は、地図画像を表示させるナビゲーション装置に好適に用いることができる。
【符号の説明】
【００８０】
Ａ  ナビゲーション装置
１  制御装置
２  記憶装置
３  表示ユニット
４  ＧＰＳ
５  ジャイロセンサ
６  車速センサ
７  ＴＶ受信機
８  ラジオ受信機
９  ＣＤ／ＤＶＤ再生装置
１０  接続ポート
【図１】
2017182260.tif 000003
【図２】
2017182260.tif 000004
【図３】
2017182260.tif 000005
【図４】
2017182260.tif 000006
【図５】
2017182260.tif 000007
【図６】
2017182260.tif 000008
【図７】
2017182260.tif 000009
【図８】
2017182260.tif 000010
【図９】
2017182260.tif 000011